(57)【要約】  本発明の課題は、観覧車の回転輪を利用して壮大さを演出しながらも、同時に、細かな画像や文字列等を表現できる観覧車を提供することである。観覧車は、複数の乗りかご（２）を支持する回転輪（１）が、軸部（１８）を介して支持体（３）に回転可能に支持される。観覧車は、複数の径方向フレーム（１４）と、複数の発光器と、ディスプレイ（４）と、制御装置（８）とを備える。複数の径方向フレーム（１４）は、回転輪（１）に設けられており、直径方向に延びている。複数の発光器は、外側方に向かって発光するように複数の径方向フレーム（１４）に取り付けられる。ディスプレイ（４）は、表示面が外側方に向くように支持体（３）に取り付けられる。制御装置（８）は、複数の発光器をディスプレイ（４）の表示と連動するように制御する。
2017094044.tif 000002
【特許請求の範囲】
【請求項１】
複数の乗りかごを支持する回転輪が、軸部を介して支持体に回転可能に支持された観覧車であって、
前記回転輪に設けられ直径方向に延びる複数の径方向フレームと、
外側方に向かって発光するように前記複数の径方向フレームに取り付けられた複数の発光器と、
表示面が前記外側方に向くように前記支持体に取り付けられたディスプレイと、
前記複数の発光器を前記ディスプレイの表示と連動するように制御する制御装置と
を備えている
ことを特徴とする観覧車。
【請求項２】
複数の乗りかごを支持する回転輪が、軸部を介して支持体に回転可能に支持された観覧車であって、
前記回転輪は、
前後方向に離れた一対の本体フレームと、
前記一対の本体フレーム同士を外周部で連結する複数の連結フレームと
を有し、
前記観覧車は、
前記軸部に向かって発光するように前記複数の連結フレームに取り付けられた複数の発光器と、
表示面が前記外側方に向くように前記支持体に取り付けられたディスプレイと、
前記複数の発光器を前記ディスプレイの表示と連動するように制御する制御装置と
を備えている
ことを特徴とする観覧車。
【請求項３】
複数の乗りかごを支持する回転輪が、軸部を介して支持体に回転可能に支持された観覧車であって、
前記回転輪は、
直径方向に延びる複数の径方向フレームを具備し、前後方向に離れた一対の本体フレームと、
前記一対の本体フレーム同士を外周部で連結する複数の連結フレームと
を有し、
前記観覧車は前記回転輪に取り付けられた複数の発光器を備え、
前記複数の発光器は、
外側方に発光するように前記複数の径方向フレームに取り付けられた複数の第一発光器と、
前記軸部に向かって発光するように前記複数の連結フレームに取り付けられた複数の第二発光器と
を有し、
前記観覧車は、
表示面が前記外側方に向くように前記支持体に取り付けられたディスプレイと、
前記複数の第一発光器および前記複数の第二発光器を前記ディスプレイの表示と連動するように制御する制御装置と
をさらに備えている
ことを特徴とする観覧車。
【請求項４】
前記制御装置は、前記ディスプレイの表示を制御するディスプレイ制御部をさらに備える
ことを特徴とする請求項１〜３のいずれか一項に記載の観覧車。
【請求項５】
前記制御装置は、
防災情報を受信する防災情報受信部と、
前記防災情報受信部に前記防災情報が入力されると、前記複数の発光器を防災情報表示用の発光パターンで発光させる発光器制御部と
を有し、
前記ディスプレイ制御部は、前記防災情報受信部に入力された前記防災情報を前記ディスプレイに表示させるように構成されている
ことを特徴とする請求項４記載の観覧車。
【請求項６】
前記制御装置は、
個人が所有する携帯情報端末から出力された情報を受信する携帯情報端末用受信部と、
前記携帯情報端末用受信部に前記携帯情報端末からの前記情報が入力されると、前記複数の発光器を、携帯情報端末表示用の発光パターンで発光させる発光器制御部と
を有し、
前記ディスプレイ制御部は、前記携帯情報端末用受信部に入力された情報を前記ディスプレイに表示させるように構成されている
ことを特徴とする請求項４記載の観覧車。
【請求項７】
前記乗りかごは、前記乗りかごの内部と外部との間で光を透過可能な透光部を有し、
前記複数の発光器は、前記制御装置により前記ディスプレイの表示に連動するように制御され、前記透光部に設けられた第三発光器を有し、
前記第三発光器は、前記透光部の全面にわたって配置された複数の発光素子を具備している
ことを特徴とする請求項１〜６のいずれか一項に記載の観覧車。
【請求項８】
前記複数の発光素子は、前記透光部を覆うように設けられた導電性の透明フィルムの表面に電気的に接続されている
ことを特徴とする請求項７記載の観覧車。
【請求項９】
前記ディスプレイの表示に連動するように前記制御装置に制御されるスピーカーをさらに備えている
ことを特徴とする請求項１〜８のいずれか一項に記載の観覧車。
【請求項１０】
前記制御装置は、個人が所有する携帯情報端末に対し、前記ディスプレイに表示された映像に関連した映像を表示させるための情報を出力可能に構成されている
ことを特徴とする請求項１〜９のいずれか一項に記載の観覧車。
【請求項１１】
前記制御装置は、前記ディスプレイに広告表示を行わせると共に、前記複数の発光器を前記広告表示と連動するよう発光させる
ことを特徴とする請求項１〜４のいずれか一項に記載の観覧車。
【発明の詳細な説明】
【技術分野】
【０００１】
本発明は、観覧車に関する。
【背景技術】
【０００２】
日本国公開特許公報２０１３−３７０８６号（以下、文献１）には、従来の観覧車が開示されている。この文献１記載の観覧車は、回転輪が支持脚の上部で回転可能に支持されている。回転輪の外周部には、複数のゴンドラが支持される。この回転輪には、正面側または背面側に向かって発光する多数のＬＥＤ素子が設けられている。【０００３】
この文献１記載の観覧車は、ＬＥＤ素子の調光を制御する制御手段を備えている。制御手段は、各ＬＥＤ素子の色彩を変化させたり、点灯・消灯させたりすることで、観覧車の回転輪に静止画像または動画像を表示させる。
【発明の概要】
【０００４】
ところで、この文献１記載の観覧車は、回転輪の正面又は背面に設けられた多数のＬＥＤ素子の色彩の変化と点灯・消灯とによって、回転輪の正面および背面に画像を表示する。
【０００５】
しかしながら、観覧車は、回転輪を構成する枠体の数量が限られているため、ＬＥＤ素子の色彩を変化させたり点灯・消灯をしたりするだけでは、細かな画像や文字列等を表現するのが難しいという問題がある。
【０００６】
本発明の目的は、観覧車の回転輪を利用して壮大さを演出しながらも、同時に、細かな画像や文字列等を表現できる観覧車を提供することである。
【０００７】
本発明の観覧車は、複数の乗りかごを支持する回転輪が、軸部を介して支持体に回転可能に支持された観覧車であって、前記回転輪に設けられ直径方向に延びる複数の径方向フレームと、外側方に向かって発光するように前記複数の径方向フレームに取り付けられた複数の発光器と、表示面が前記外側方に向くように前記支持体に取り付けられたディスプレイと、前記複数の発光器を前記ディスプレイの表示と連動するように制御する制御装置とを備えていることを特徴とする。
【０００８】
本発明の観覧車は、複数の乗りかごを支持する回転輪が、軸部を介して支持体に回転可能に支持された観覧車であって、前記回転輪は、前後方向に離れた一対の本体フレームと、前記一対の本体フレーム同士を外周部で連結する複数の連結フレームとを有し、前記観覧車は、前記軸部に向かって発光するように前記複数の連結フレームに取り付けられた複数の発光器と、表示面が前記外側方に向くように前記支持体に取り付けられたディスプレイと、前記複数の発光器を前記ディスプレイの表示と連動するように制御する制御装置とを備えていることを特徴とする。
【０００９】
本発明の観覧車は、複数の乗りかごを支持する回転輪が、軸部を介して支持体に回転可能に支持された観覧車であって、前記回転輪は、直径方向に延びる複数の径方向フレームを具備し、前後方向に離れた一対の本体フレームと、前記一対の本体フレーム同士を外周部で連結する複数の連結フレームとを有し、前記観覧車は前記回転輪に取り付けられた複数の発光器を備え、前記複数の発光器は、外側方に発光するように前記複数の径方向フレームに取り付けられた複数の第一発光器と、前記軸部に向かって発光するように前記複数の連結フレームに取り付けられた複数の第二発光器とを有し、前記観覧車は表示面が前記外側方に向くように前記支持体に取り付けられたディスプレイと、前記複数の第一発光器および前記複数の第二発光器を前記ディスプレイの表示と連動するように制御する制御装置とをさらに備えていることを特徴とする。
【００１０】
また、この観覧車において、前記制御装置は、前記ディスプレイの表示を制御するディスプレイ制御部をさらに備えることが好ましい。
【００１１】
また、この観覧車において、前記制御装置は、防災情報を受信する防災情報受信部と、前記防災情報受信部に前記防災情報が入力されると、前記複数の発光器を防災情報表示用の発光パターンで発光させる発光器制御部とを有し、前記ディスプレイ制御部は、前記防災情報受信部に入力された前記防災情報を前記ディスプレイに表示させるように構成されていることが好ましい。
【００１２】
また、この観覧車において、前記制御装置は、個人が所有する携帯情報端末から出力された情報を受信する携帯情報端末用受信部と、前記携帯情報端末用受信部に前記携帯情報端末からの前記情報が入力されると、前記複数の発光器を、携帯情報端末表示用の発光パターンで発光させる発光器制御部とを有し、前記ディスプレイ制御部は、前記携帯情報端末用受信部に入力された情報を前記ディスプレイに表示させるように構成されていることが好ましい。
【００１３】
また、この観覧車において、前記乗りかごは、前記乗りかごの内部と外部との間で光透過性を有する透光部を有し、前記複数の発光器は、前記制御装置により前記ディスプレイの表示と連動するように制御され、前記透光部に設けられた第三発光器を有し、前記第三発光器は、前記透光部の全面にわたって配置された複数の発光素子を具備していることが好ましい。
【００１４】
また、この観覧車において、前記複数の発光素子は、前記透光部を覆うように設けられた導電性の透明フィルムの表面に電気的に接続されていることが好ましい。
【００１５】
また、この観覧車において、前記ディスプレイの表示に連動するように制御装置に制御されるスピーカーをさらに備えていることが好ましい。
【００１６】
また、この観覧車において、前記制御装置は、個人が所有する携帯情報端末に対し、前記ディスプレイに表示された映像に関連した映像を表示させるための情報を出力可能に構成されていることが好ましい。
【００１７】
また、この観覧車において、前記制御装置は、前記ディスプレイに広告表示を行わせると共に、前記複数の発光器を前記広告表示と連動するよう発光させることが好ましい。
【図面の簡単な説明】
【００１８】
【図１】図１Ａは、本発明の一実施形態の観覧車の正面図である。図１Ｂは、図１ＡのＸ部分の拡大図である。
【図２】図２Ａは、上記実施形態の観覧車の側面図である。図２Ｂは、図２ＡのＹ部分の拡大図である。
【図３】図１ＢのＡ部分の拡大図である。
【図４】図４Ａは、図２ＢのＢ部分の拡大図である。図４Ｂは図４Ａの第２ＬＥＤ発光器を回転方向に沿って見た形状を示す図である。
【図５】上記実施形態の制御装置のブロック図である。
【図６】上記実施形態において、第一ＬＥＤ発光器をディスプレイの表示に連動させた態様を説明する正面図である。
【図７】上記実施形態において、第一ＬＥＤ発光器と第二ＬＥＤ発光器とを、ディスプレイの表示に連動させた態様を説明する正面図である。
【図８】上記実施形態において、第一ＬＥＤ発光器をディスプレイの表示に連動させた別の態様を説明する正面図である。
【図９】変形例１の乗りかごの正面図である。
【図１０】変形例１の制御装置のブロック図である。
【図１１】変形例２の制御装置のブロック図である。
【発明を実施するための形態】
【００１９】
本発明は、観覧車に関し、特に、複数の発光器が取り付けられた観覧車に関する。以下、本発明の一実施形態について説明する。
【００２０】
本実施形態の観覧車は、図１Ａに示すように、地面に固定された支持体３と、この支持体３に回転可能に支持された回転輪１と、回転輪１の外周部に支持された複数の乗りかご２とを備えている。なお、以下においては、回転輪１の軸部１８に沿った方向を前後方向として定義する。
【００２１】
回転輪１は、支持体３によって回転自在に支持されている。回転輪１の外周部には、複数の乗りかご２が支持されている。回転輪１は、前後方向に見て（以下、正面視という場合がある）中央に配置された軸部１８を有している。回転輪１は、軸部１８を介して支持体３に回転可能に支持される。支持体３には駆動装置（図示せず）が設けられており、駆動装置は、軸部１８を中心に回転するように回転輪１を駆動する。この回転輪１は、図２Ａ，２Ｂに示すように、一対の本体フレーム１１と、本体フレーム１１同士を連結する複数の連結フレーム１７と、上述の軸部１８とを備えている。
【００２２】
一対の本体フレーム１１は、前後方向に離れている。一対の本体フレーム１１のうち、前側に配置される本体フレーム１１は回転輪１の前側の側面を構成する。一対の本体フレーム１１のうち、後側に配置される本体フレーム１１は回転輪１の後側の側面を構成する。一対の本体フレーム１１は、互いに同じ構造をしており、前後方向にみて重なるように配置される。
【００２３】
各本体フレーム１１の形状は、例えば、正面視円形状，多角形状，星形などが挙げられ、特に限定されない。なお、本実施形態の本体フレーム１１は、正面視円形状をしている。各本体フレーム１１は、図１に示すように、複数の環状フレーム１２と、複数の径方向フレーム１４とを備えている。
【００２４】
複数の環状フレーム１２は、正面視円形状をしており、例えば鉄製である。複数の環状フレーム１２の各々は、互いに直径が異なっており、同心円状に配置されている。本実施形態の観覧車は、複数の環状フレーム１２として、外側から順に、第１の環状フレーム１２１，第２の環状フレーム１２２，第３の環状フレーム１２３，第４の環状フレーム１２４…を備えている。
【００２５】
第１の環状フレーム１２１の直径と第２の環状フレーム１２２の直径との差は、第２の環状フレーム１２２の直径と第３の環状フレーム１２３の直径との差と略同じとなるように形成されている。すなわち、複数の環状フレーム１２のいずれかの直径と、その環状フレーム１２の直ぐ内側の環状フレーム１２の直径との差は、すべての環状フレーム１２において略同じとなるように形成されている。
【００２６】
複数の径方向フレーム１４は、回転輪１の径方向に沿って直線状に延びている。複数の径方向フレーム１４は、互いに回転方向に離れている。これにより、複数の径方向フレーム１４は、放射状に配置される。径方向フレーム１４は例えば鉄製である。径方向フレーム１４は、複数の環状フレーム１２に跨るようにして配置される。本実施形態の回転輪１は、複数の径方向フレーム１４として、軸部１８から回転輪１の径方向の端部にまで延びる複数の第一フレーム１５と、回転輪１の径方向の途中（本実施形態では第４の環状フレーム１２４）から回転輪１の端部にまで延びる複数の第二フレーム１６とを備える。
【００２７】
このような構成の本体フレーム１１は、例えば、回転輪１の回転方向（周方向）に離れた一対の第一フレーム１５と、複数の環状フレーム１２の周方向の一部分とで扇形状の枠を形成し、この扇形状の枠を回転輪１の回転方向に沿って順次連結することで構成される。なお、各環状フレーム１２は、全体として略環状であればよく、例えば、扇形状の枠をなす環状フレーム１２の一部分については直線状に形成されてもよい。
【００２８】
連結フレーム１７は、図１Ｂに示すように、一対の本体フレーム１１を外周部で連結する。連結フレーム１７は、前後方向に直線状に延びている。連結フレーム１７は、各径方向フレーム１４（第一フレーム１５と第二フレーム１６）に対応する箇所に設けられており、正面視においては、乗りかご２よりも軸部１８側に配置される。これによって、乗りかご２が回転輪１の上端に位置しても、連結フレーム１７に干渉しないように構成されている。
【００２９】
なお、ここでいう「外周部」とは、本体フレーム１１の径方向の外側の先端から所定寸法だけ中心に向かった位置までの一定の広がりを持った領域をいう。従って、回転輪１の外周部とは、回転輪１の外縁だけをいうのではなく、外縁よりも中央側に位置する箇所をも含み、例えば、本実施形態のように外縁から半径の１／９程度、中央側に位置する箇所も外周部とみなす。
【００３０】
軸部１８は、本体フレーム１１の中央に固定されており、図２Ａ，図２Ｂに示すように、一対の本体フレーム１１に架け渡されている。軸部１８は、前後方向に水平状に延びている。軸部１８は、回転輪１の回転の中心軸となる。軸部１８は、支持体３の上端部に設けられた一対の軸受け３５に回転自在に支持される。
【００３１】
このような構成の回転輪１には、図１Ａに示すように、複数の乗りかご２が設けられている。乗りかご２は、搭乗者が載る部分であり、いわゆるゴンドラである。乗りかご２の内部には座席（図示せず）が設けられている。乗りかご２は、回転輪１の周方向の全長に亙って一定の間隔をおいて複数設けられている。具体的に、乗りかご２は、径方向フレーム１４の先端に回転自在に吊り下げられている。
【００３２】
支持体３は、地面に立ち上げられて固定されている。支持体３の上端部には、図２Ａに示すように、一対の軸受け３５が取り付けられており、軸受け３５によって回転輪１を支持する。支持体３は、前後方向に離れた一対の脚部３１によって構成されている。各脚部３１は、複数の鉄骨体を上端で収束させることで構成されている。
【００３３】
図１Ａに示すように、支持体３には乗降場３３が設けられている。乗降場３３は、乗りかご２に対し人を乗降させるために設けられている。乗降場３３は、支持体３に水平に架設された横架材３２上に設けられている。
【００３４】
なお、支持体３は、鉄骨体によって構成されたものに限らず、ビルや建物などの建造物によって構成されてもよい。
【００３５】
本実施形態の観覧車は、一対のディスプレイ４を備えている。ディスプレイ４は、一方の主面に、文字や画像等を表示可能な表示面が設けられており、複数の色（緑・赤・青）で表示面に各表示を行うことができる。本実施形態の一対のディスプレイ４の各々は、フルカラーのＬＥＤディスプレイにより構成されている。
【００３６】
なお、本実施形態のディスプレイ４は、フルカラーのＬＥＤディスプレイにより構成されているが、例えば、有機ＥＬディスプレイ，プラズマディスプレイ，カラー液晶ディスプレイなどのカラーディスプレイや、モノクロ液晶ディスプレイ等の単色のディスプレイ等で構成されてもよい。
【００３７】
一対のディスプレイ４は、一対の脚部３１の上端部に、一対一で取り付けられている。各ディスプレイ４は、左右方向に延びた矩形状に形成されており、表示面が、外側方（つまり、前後方向のうち、対向する本体フレーム１１とは反対側に向かう方向）に面している。
【００３８】
また、本実施形態の観覧車は、回転輪１に複数の発光器が取り付けられている。本実施形態の観覧車は、複数の発光器として、回転輪１の側面に取り付けられた複数の第一発光器と、回転輪１の外周面に取り付けられた複数の第二発光器とを備えている。本実施形態の第一発光器の発光源は、ＬＥＤ発光素子により構成されているため、本実施形態においては、第一発光器５を第一ＬＥＤ発光器５という。また、本実施形態の第二発光器の発光源も、ＬＥＤ発光素子により構成されているため、本実施形態においては、第二発光器を第二ＬＥＤ発光器６という。
【００３９】
また、観覧車は、これら第一ＬＥＤ発光器５と第二ＬＥＤ発光器６とを、ディスプレイ４の表示に連動するように制御する制御装置８を備えている。観覧車は、これらＬＥＤ発光器５，６の発光を制御することで、ディスプレイ４の表示に合わせて、観覧車の本体フレーム１１に動画や画像を表示させたり、鮮やかなイルミネーション照明を行ったりすることができる。
【００４０】
図３には図１ＢのＡ部分の拡大図を示す。各第一ＬＥＤ発光器５は、図３に示すように、棒状に形成された発光器である。各第一ＬＥＤ発光器５は、赤色発光体５１と、緑色発光体５２と、青色発光体５３とを備える、いわゆるフルカラーＬＥＤ発光器である（図５参照）。各第一ＬＥＤ発光器５は、回転輪１の径方向に一定の長さを有するよう形成されている。
【００４１】
複数の第一ＬＥＤ発光器５は、径方向フレーム１４に沿うようにして、径方向フレーム１４に取り付けられている。具体的に、各第一ＬＥＤ発光器５は、径方向フレーム１４に固定具５４を介して固定されている。
【００４２】
複数の第一ＬＥＤ発光器５は、図１Ａに示すように、第一フレーム１５に対して、長さ方向の全長にわたる領域に、直線状に配置されている。また、複数の第一ＬＥＤ発光器５は、第二フレーム１６に対して、長さ方向の全長にわたる領域に、直線状に配置されている。また、複数の第一ＬＥＤ発光器５の光軸は、外側方（対向する本体フレーム１１とは反対側に向かう方向）に沿っている。すなわち、複数の第一ＬＥＤ発光器５は、外側方に発光するように、本体フレーム１１に取り付けられている。これによって、第一ＬＥＤ発光器５は、地上側に対して直接的に照明するいわゆる直接照明をすることができる。
【００４３】
複数の第二ＬＥＤ発光器６は、図１Ｂに示すように、各連結フレーム１７に取り付けられている。各第二ＬＥＤ発光器６は、回転輪１の軸部１８に向かって発光するように取り付けられている。これによって、第二ＬＥＤ発光器６は、軸部１８・径方向フレーム１４・環状フレーム１２に光を当てて、その反射光で地上側を間接的に照らす、いわゆる間接照明をすることができる。本実施形態の観覧車は、この第二ＬＥＤ発光器６による間接照明によって、観覧車全体をぼんやりと照らし出すような演出を行うことができる。
【００４４】
図４には図２ＢのＢ部分の拡大図を示す。複数の第二ＬＥＤ発光器６は、図４Ａ，４Ｂに示すように、各連結フレーム１７の長手方向に直交する方向において、各連結フレーム１７の両側に配置されている。本実施形態の各連結フレーム１７には、エキスバンドメタルからなる足場６５が取り付けられており、複数の第二ＬＥＤ発光器６はこの足場６５の幅方向の両側に配置される。なお、本実施形態の観覧車は、１つの連結フレーム１７に対し、複数の第二ＬＥＤ発光器６が取り付けられているが、１つの連結フレーム１７に対して１つの第二ＬＥＤ発光器６が取り付けられてもよい。
【００４５】
なお、足場６５としては、エキスパンドメタルが用いられる必要はなく、例えば、金属板により構成されてもよい。また、足場６５はメンテナンス性の向上のために設けられているため、メンテナンス性を重視しない場合には不要である。
【００４６】
各第二ＬＥＤ発光器６は、軸部１８に向かって発光する。各第二ＬＥＤ発光器６は、赤色発光体６２と、緑色発光体６３と、青色発光体６４とを備える、いわゆるフルカラーＬＥＤ発光器である（図５参照）。
【００４７】
制御装置８は、第一ＬＥＤ発光器５と、第二ＬＥＤ発光器６と、ディスプレイ４とに電気的に接続されており、ディスプレイ４の表示に連動するようにして、第一ＬＥＤ発光器５と第二ＬＥＤ発光器６とを制御する。具体的に、制御装置８は、直接照明を行う第一ＬＥＤ発光器５の発光と、間接照明を行う第二ＬＥＤ発光器６の発光とを、ディスプレイ４の表示に合うような発光パターンとなるように、１つの制御プログラムで実行させる。これにより、第一ＬＥＤ発光器５と第二ＬＥＤ発光器６とは、発光の挙動が、ディスプレイ４の表示に適合する。なお、複数の第一ＬＥＤ発光器５と複数の第二ＬＥＤ発光器６とを、ディスプレイ４の表示と連動する態様については、後ほどいくつか例示する。
【００４８】
この制御装置８は、例えば、図１Ａに示すような乗降場３３に設けられた管理棟３４に収容配置される。
【００４９】
回転輪１には、回転検出器９（図５参照）が設けられている。回転検出器９は、回転輪１の基準位置に対する回転角度を検出するためのものである。回転検出器９は、例えば、軸部１８に設けられており、軸部１８の回転角度を検出する。この回転検出器９によって検出された回転角度情報は、図５に示すように制御装置８に出力される。
【００５０】
制御装置８は、メイン制御部８０、携帯情報端末用受信部８１、防災情報受信部８２、時計部８９，ディスプレイ制御部８３、発光器制御部８４、第一制御部８６、第二制御部８７，および発光パターン記憶部８５を備えている。
【００５１】
携帯情報端末用受信部８１は、個人が所有する携帯情報端末から出力された情報を受信する。携帯情報端末としては、スマートフォン，タブレット，ＰＤＡ（Personal Digital Assistant）等が例示される。携帯情報端末は、例えば、画像や動画等の画像データや、文字列等のテキストデータ（以下、画像データとテキストデータを合わせてコンテンツ情報という）を出力する。携帯情報端末用受信部８１は、携帯情報端末から出力されたコンテンツ情報を受信可能に構成されている。携帯情報端末用受信部８１は、例えば、無線用ルーターにより構成される。携帯情報端末用受信部８１は、コンテンツ情報を受信すると、コンテンツ情報をメイン制御部８０に出力する。
【００５２】
防災情報受信部８２は、地震・火災・津波等が発生した情報や、気象庁が報知する注意報・警報情報等の情報（以下、これらを防災情報という）を受信する。防災情報の発信は、気象庁に限らず、民間業者によってなされるものであってもよく、特に限定されない。防災情報受信部８２は、防災情報を受信すると、防災情報をメイン制御部８０に出力する。
【００５３】
時計部８９は、現在の時刻を示す時計を内蔵している（この時計の情報を時間情報という）。時計部８９は、時間情報をメイン制御部８０に出力する。
【００５４】
メイン制御部８０は、携帯情報端末用受信部８１および防災情報受信部８２および時計部８９のいずれかまたは全部から、情報を受け取ると、その情報に基づいて、ディスプレイ制御部８３にディスプレイ４の制御信号を出力し、発光器制御部８４にＬＥＤ発光器５，６の制御信号を出力する。
【００５５】
具体的に、メイン制御部８０は、コンテンツ情報が入力されると、そのコンテンツに対応する発光パターンの情報を、発光パターン記憶部８５から取得する。また、メイン制御部８０は、防災情報が入力されると、その防災情報に対応する発光パターンの情報を、発光パターン記憶部８５から取得する。また、メイン制御部８０は、時間情報が入力されると、その時間情報に対応する発光パターンの情報を、発光パターン記憶部８５から取得する。
【００５６】
ここで、発光パターン記憶部８５には、コンテンツ情報に対応する発光パターンや、防災情報に対応する発光パターンや、時間情報に対応する発光パターンの情報が記憶されている。コンテンツ情報に対応する発光パターンとしては、例えば、画像データに対応する発光パターンや、テキストデータに対応する発光パターンが挙げられる（このコンテンツ情報に対応する発光パターンを携帯情報端末表示用の発光パターンという）。防災情報に対応する発光パターンとしては、例えば、火災発生の情報に対応する発光パターン（図６，７参照）や、地震発生の情報に対応する発光パターン，津波発生の情報に対応する発光パターンが挙げられる。
【００５７】
メイン制御部８０は、発光パターン記憶部８５から発光パターンの情報を取得すると、携帯情報端末用受信部８１および防災情報受信部８２および時計部８９のいずれかまたは全部から入力された情報と取得した発光パターンの情報とを関連付けて、当該情報を発光器制御部８４に出力する。また、メイン制御部８０は、携帯情報端末用受信部８１および防災情報受信部８２および時計部８９のいずれかまたは全部から情報が入力されると、その情報をディスプレイ制御部８３に出力する。
【００５８】
また、メイン制御部８０は、時計部８９から入力された時間情報に基づいて、現在から次年の０時００分に至るまで、何時間何分何秒残されているかを逆算し、この情報をディスプレイ制御部８３に出力できる。また、この逆算した情報に対応する発光パターンを発光パターン記憶部８５から取得して、これらを関連付けた上で発光器制御部８４に出力することも可能である。
【００５９】
ディスプレイ制御部８３は、ディスプレイ４の表示を制御する。ディスプレイ制御部８３は、メイン制御部８０からコンテンツ情報が入力されると、コンテンツ情報をディスプレイ４に表示させるようにディスプレイ４を制御する。
【００６０】
また、ディスプレイ制御部８３は、メイン制御部８０から防災情報が入力されると、防災情報をディスプレイ４に表示させるようにディスプレイ４を制御する。
【００６１】
また、ディスプレイ制御部８３は、メイン制御部８０から時間情報が入力されると、時計情報が入力された旨の情報を発光器制御部８４に出力し、時計情報をディスプレイ４に表示させるようにディスプレイ４を制御することができる。
【００６２】
発光器制御部８４は、メイン制御部８０から入力された情報に基づいて、各第一ＬＥＤ発光器５のＯＮ／ＯＦＦ情報と、各第一ＬＥＤ発光器５の発光すべき光の色情報とを、第一制御部８６に出力する。また、発光器制御部８４は、メイン制御部８０から入力された情報に基づいて、各第二ＬＥＤ発光器６のＯＮ／ＯＦＦ情報と、各第二ＬＥＤ発光器６の発光すべき光の色情報とを、第二制御部８７に出力する。
【００６３】
具体的に、発光器制御部８４は、回転検出器９から入力される回転角度情報に基づいて、各第一ＬＥＤ発光器５の位置を判断する。そして、発光器制御部８４は、各第一ＬＥＤ発光器５に、ＯＮ／ＯＦＦ情報および色情報を割り当て、また、各第二ＬＥＤ発光器６にＯＮ／ＯＦＦ情報および色情報を割り当てる。
【００６４】
第一制御部８６は、発光器制御部８４から出力されたＯＮ／ＯＦＦ情報および色情報に基づいて、第一ＬＥＤ発光器５を作動させる。具体的に、第一制御部８６は、発光器制御部８４から入力された情報に基づいて、赤色発光体５１・緑色発光体５２・青色発光体５３を個別に制御する。これによって、第一ＬＥＤ発光器５ごとに光の色を制御する。また、第一制御部８６は、発光器制御部８４から入力された情報に基づいて、各第一ＬＥＤ発光器５のＯＮ／ＯＦＦ制御を行う。
【００６５】
第二制御部８７は、発光器制御部８４から出力されたＯＮ／ＯＦＦ情報および色情報に基づいて、第二ＬＥＤ発光器６を作動させる。第二制御部８７は、発光器制御部８４から入力された情報に基づいて、赤色発光体６２・緑色発光体６３・青色発光体６４を個別に制御する。これによって、第二ＬＥＤ発光器６ごとに光の色を制御する。また、第二制御部８７は、発光器制御部８４から入力された情報に基づいて、各第二ＬＥＤ発光器６のＯＮ／ＯＦＦ制御を行う。
【００６６】
このような構成の制御装置８は、例えば、次のように動作する。
【００６７】
通常時、制御装置８は、現在の時刻の時計情報をディスプレイ４に表示させる。このとき、制御装置８は、第一ＬＥＤ発光器５および第二ＬＥＤ発光器６を消灯するよう制御する。制御装置８は、時刻が、例えば、正時を指すたびに、第一ＬＥＤ発光器５および第二ＬＥＤ発光器６が発光するように、第一ＬＥＤ発光器５および第二ＬＥＤ発光器６を制御する。これにより、制御装置８は、第一ＬＥＤ発光器５と第二ＬＥＤ発光器６とを、ディスプレイ４の表示に連動するように制御する。
【００６８】
また、例えば、現在の時刻の時計情報をディスプレイ４に表示させ、第一ＬＥＤ発光器５を点灯し、かつ第二ＬＥＤ発光器６を消灯するよう制御してもよい。このとき、制御装置８は、第一ＬＥＤ発光器５の点灯または消灯を、時計情報の秒時と連動させ、あたかも秒針が軸部１８回りに回転しているよう発光するように制御する。なお、上述のように、時刻が、例えば、正時を指すたびに、第二ＬＥＤ発光器６が発光するように、第二ＬＥＤ発光器６を制御してもよい。
【００６９】
次に、例えば、近辺で火災が発生し、防災情報受信部８２が火災情報を受信すると、図６に示すように、制御装置８は、ディスプレイ４に火災が発生したことを示す文字を表示させる。そして、制御装置８は、これと同時に、「炎」の図柄が回転輪１に表示されるように、複数の第一ＬＥＤ発光器５を制御する。さらに、制御装置８は、図７に示すように、複数の第二ＬＥＤ発光器６を制御し、例えば、火災に関連付けられた色（例えば、赤色）を発光させる。このように制御装置８は、第一ＬＥＤ発光器５と第二ＬＥＤ発光器６とを、ディスプレイ４の表示に連動するように制御する。
【００７０】
また、本実施形態の観覧車は、図８に示すように、例えば、年末において、次年の０時００分までの残りの秒数をカウントダウンすることにも用いることができる。この場合、制御装置８は、例えば、現在の時刻をディスプレイ４に表示させると共に、次年の０時００分までの残りの秒数を、第一ＬＥＤ発光器５を制御して、回転輪１に表示することができる。なお、このとき、制御装置８は、第二ＬＥＤ発光器６を消灯するように制御し、１月１日の０時００分が到来した瞬間に、第二ＬＥＤ発光器６を発光させるようにしてもよい。
【００７１】
（変形例１）
上記実施形態の乗りかご２には、発光器は取り付けられていないが、例えば、図９に示すように、乗りかご２に発光器７が取り付けられてもよい（以下、この例を変形例１という）。なお、本変形例においては、上記実施形態に対応する構成について、上記実施形態の構成と同じ符号を付した上で、符号の末尾に「ａ」を付記し、重複する説明は省略する。
【００７２】
変形例の複数の乗りかご２ａには、図９に示すように、複数の第三発光器として、複数の第三ＬＥＤ発光器７ａが取り付けられている。複数の第三ＬＥＤ発光器７ａは、複数の乗りかご２ａに対して一対一で取り付けられている。各第三ＬＥＤ発光器７ａは、導電性の透明フィルム７５ａの表面に、複数の発光素子（本実施形態ではＬＥＤ素子７１ａ）が電気的に接続するように配置されている。導電性の透明フィルム７５ａは制御装置８ａに電気的に接続されており、これにより、第三ＬＥＤ発光器７ａは、制御装置８ａに電気的に接続されている。
【００７３】
各ＬＥＤ素子７１ａは、第一ＬＥＤ発光器５ａおよび第二ＬＥＤ発光器６ａと同様、赤色発光体７２ａ・緑色発光体７３ａ・青色発光体７４ａを備えた、フルカラーＬＥＤ素子である（図１０参照）。複数のＬＥＤ素子７１ａは、乗りかご２ａの外側に向かって発光するように配置されている。
【００７４】
第三ＬＥＤ発光器７ａは、乗りかご２ａの透光部に貼着される。透光部は、乗りかご２ａの内部と外部との間で光を透過可能な光透過性を有する部分であり、例えば、窓面２１ａにより構成される。複数のＬＥＤ素子７１ａは、互いに隙間を介した状態で、窓面２１ａの全面にわたって整然と配置されている。
【００７５】
第三ＬＥＤ発光器７ａは、例えば、図１０に示すように、発光器制御部８４ａおよび第三制御部８８ａからの信号を受け取ることができるように構成されている。ここで、変形例の発光器制御部８４ａは、実施形態の発光器制御部８４と大部分において同じ構成であるが、各第三ＬＥＤ発光器７ａのＯＮ／ＯＦＦ情報と、各第三ＬＥＤ発光器７ａの発光すべき光の色情報とを、第三制御部８８ａに出力する機能が追加されている点で異なる。
【００７６】
第三制御部８８ａは、発光器制御部８４ａから出力されたＯＮ／ＯＦＦ情報および色情報に基づいて、第三ＬＥＤ発光器７ａを作動させる。具体的に、第三制御部８８ａは、発光器制御部８４ａから入力された情報に基づいて、複数のＬＥＤ素子７１ａを個別に制御する。これによって、第三ＬＥＤ発光器７ａごとに光の色を制御する。また、第三制御部８８ａは、発光器制御部８４ａから入力された情報に基づいて、各第三ＬＥＤ発光器７ａのＯＮ／ＯＦＦ制御を行う。
【００７７】
第三ＬＥＤ発光器７ａは、例えば、第二ＬＥＤ発光器６ａと同じような挙動で発光させてもよいが、各ＬＥＤ素子７１ａを制御して、乗りかご２ａの側面に数字を表示させたり、画像を表示させたりすることもできる。第三ＬＥＤ発光器７ａは、例えば、時計部８９ａからの時間情報と回転検出器９ａからの回転角度情報とを組み合わせることで、水平を０°とした場合の９０°の位置の乗りかご２ａ（最上部に位置する乗りかご２ａ）に「０」を表示させたり、０°の位置の乗りかご２ａに「１５」と表示させたり、−９０°の位置の乗りかご２ａに「３０」と表示させたり、１８０°の位置の乗りかご２ａに「４５」と表示させたりして、秒針表示をさせることができる。これにより、変形例によれば、ディスプレイ４ａに表示された時間表示と、第三ＬＥＤ発光器７ａの発光とを連動させることができる。
【００７８】
（変形例２）
上記実施形態の制御装置は、個人が所有する携帯情報端末に対して、情報を出力する機能は有していないが、例えば、図１１に示すように、携帯情報端末に対して、情報を出力するように構成されてもよい（以下、この例を変形例２という）。なお、本変形例においては、上記実施形態に対応する構成について、上記実施形態の構成と同じ符号を付した上で、符号の末尾に「ｂ」を付記し、重複する説明は省略する。
【００７９】
変形例２の制御装置８ｂは、図１１に示すように、表示情報出力部９０ｂを有している。表示情報出力部９０ｂは、ディスプレイ４ｂに表示された映像と同じ映像の情報（映像情報）を、個人が所有する携帯情報端末に出力可能とする。表示情報出力部９０ｂは、ディスプレイ制御部８３ｂから出力された情報を受け取り可能に構成されている。
【００８０】
ディスプレイ制御部８３ｂは、メイン制御部８０ｂから出力された情報を受け取ると、その情報に基づき、ディスプレイ４ｂに映像を表示させる。このとき、ディスプレイ制御部８３ｂは、表示情報出力部９０ｂにも映像情報を出力する。
【００８１】
表示情報出力部９０ｂは、映像情報が入力されると、個人が所有する携帯情報端末に対して、映像情報を出力する。表示情報出力部９０ｂから携帯情報端末への情報の送信は、無線信号によって行われる。
【００８２】
これにより、映像情報を受け取った携帯情報端末は、観覧車のディスプレイ４ｂに表示された映像と同じ映像を表示させることができる。
【００８３】
この構成によれば、観覧車のディスプレイ４ｂに、例えば、防災情報を表示させるのに合わせて、個人が所有する携帯情報端末のディスプレイに防災情報を表示させることができ、各個人に対して、防災情報などの緊急な情報を効果的に報知することができる。
【００８４】
（応用）
変形例２の制御装置８ｂは、個人が所有する携帯情報端末に対して、映像情報を出力するものであったが、例えば、制御装置８ｂは、映像情報を特定のサーバに出力すると共に、観覧車を中心とする所定範囲内にビーコン信号を出力するものであってもよい。すなわち、制御装備８ｂは、ビーコン信号を発信するビーコン信号発信部と、携帯情報端末に映像情報を表示させるために特定のサーバに映像情報を出力する表示情報出力部を備えてもよい。
【００８５】
ビーコン信号発信部は、観覧車を中心とする所定範囲内に携帯情報端末が移動すると、携帯情報端末がビーコン信号を受信するように構成される。ビーコン信号を受信した携帯情報端末は、このビーコン信号が入力されたことをトリガーとして、特定のサーバにアクセスするように構成される。これにより、ビーコン信号を受信した携帯情報端末に対し、観覧車のディスプレイに表示された映像と同じ映像を表示させることができる。
【００８６】
なお、この制御装置８ｂは、ビーコン信号を受信した携帯情報端末に対して、観覧車のディスプレイ４に表示された映像と同じ映像を表示させるものであったが、ビーコン信号発信部を設けずに、予め登録された携帯情報端末に対して映像情報を出力してもよい。また、携帯情報端末に表示される映像は、観覧車のディスプレイ４に表示された映像と全く同じでなくてもよく、レイアウト上の違いやタイプフェイスの違い等があってもよい。すなわち、本発明の制御装置は、携帯情報端末に対し、ディスプレイに表示された映像に関連した映像を表示させるための情報を出力可能に構成されていればよい。
【００８７】
また、変形例１の複数の乗りかご２ａに設けられた第三ＬＥＤ発光器７ａは、乗りかご２ａの外側に向かって発光するように構成されていたが、一部のＬＥＤ素子７１ａのみ乗りかご２ａの内部に向かって発光するように構成されてもよい。この場合、例えば、乗りかご２ａに搭乗した乗客が乗りかご２ａ内で操作して、第三ＬＥＤ発光器７ａの発光態様を変更できるように構成すれば、搭乗者は、幻想的な雰囲気の中で乗りかご２ａに搭乗することができる。なお、この場合の搭乗者の操作は、個人の所有する携帯情報端末から行うよう構成してもよい。
【００８８】
透光部としての窓面２１ａに設けられた第三ＬＥＤ発光器７ａは、例えば、複数のＬＥＤ素子７１ａが、ガラスからなる窓面２１ａ全面にわたるようにガラスに埋め込んだ状態で設置されてもよい。また、第三ＬＥＤ発光器７ａは、複数のＬＥＤ素子７１ａが窓面２１ａ全面にわたるように配置されると共に、複数のＬＥＤ素子７１ａが、制御装置８ａに接続された網状の配線の各部に電気的に接続されてもよい。これにより、本実施形態と同様に、乗りかご２ａの搭乗者が透光部を介して外部の景色を見ることができる構造を保ちながら、乗りかご２ａの前後方向の側面の全面にわたってＬＥＤ素子７１ａを配置することができる。
【００８９】
透光部は、透明な底面により構成されてもよいし、窓面と底面との両方を含んでもよい。
【００９０】
上記実施形態および変形例の観覧車は、ビンゴやルーレットに利用することもできる。ビンゴに利用する場合、例えば、回転輪１の照明を利用して抽選中の数字を表示させ、ディスプレイ４に抽選後の数字の羅列を表示させるように構成される。ルーレットに利用する場合、複数の乗りかご２に対し、周方向に沿って順番に数字を表示させ、回転輪１の照明を利用して、ルーレットのように表示させるとよい。
【００９１】
上記実施形態の観覧車は、前後方向の両側に一対一で対応するように一対のディスプレイ４が設けられていたが、ディスプレイ４は、前後方向のいずれかの側面にのみ設けられてもよい。
【００９２】
上記実施形態において、一対のディスプレイ４は、支持体３の上端部に取り付けられていたが、支持体３の中間部分であってもよく、一対のディスプレイ４の取り付けられる位置は特に限定されない。また、各ディスプレイ４は、例えば、支持体３から外側方に突出するように設けられた一対のポールに取り付けられてもよい。すなわち、一対のディスプレイ４は、支持体３に直接的に取り付けられてもよいし、間接的に取り付けられてもよい。
【００９３】
上記実施形態の第一ＬＥＤ発光器５は、径方向フレーム４の全長にわたって設けられたが、径方向フレーム４の全長のうちの一部にのみ設けられてもよい。また、第二ＬＥＤ発光器６は、連結フレーム１７の一部にのみ設けられてもよい。
【００９４】
上記実施形態または変形例の観覧車は、発光器として、第一ＬＥＤ発光器５と第二ＬＥＤ発光器６と（変形例においては第三ＬＥＤ発光器７と）を備えていたが、第一ＬＥＤ発光器５および第二ＬＥＤ発光器６のいずれかのみを備えた構造であってもよい。また、発光器は、ＬＥＤ発光器でなくてもよく、例えば、白熱灯やネオン管などを組み合わせて構成されてもよい。
【００９５】
制御装置８，８ａ，８ｂは、第一ＬＥＤ発光器５，５ａ，５ｂおよび第二ＬＥＤ発光器６，６ａ，６ｂをディスプレイ４，４ａ，４ｂの表示に連動するように制御したが、これに加えて、ディスプレイ４に連動するように音を発生させてもよい。例えば、支持体３にスピーカーを取り付け、制御装置８によりスピーカーを制御するように構成される。制御装置８は、例えば、ディスプレイ４に時間表示をしながら、正時の表示とともに、にぎやかな音楽を流すことができる。また、音楽に限らず、ディスプレイ４の表示に対応して、サイレンやブザー等を発生させてもよい。
【００９６】
また、観覧車には、停電時に備えて、発電機や無停電電源装置（Uninterruptible Power Supply）が設置されてもよい。これにより、緊急時において、万が一停電が起こっても、観覧車のディスプレイと複数の発光器とで、効果的に防災情報などの緊急な情報を報知できる。
【００９７】
また、観覧車のディスプレイ４に、防災情報以外の表示を行わせてもよい。例えば、国や都道府県や市のお知らせ情報などの緊急性の無い情報を表示させてもよいし、パーク内を撮影したリアルタイムの映像を放映してもよい。また、例えば、広告表示（例えば、新商品の宣伝や企業情報の広告の画像や文字）を観覧車のディスプレイ４に表示させ、第一ＬＥＤ発光器５と第二ＬＥＤ発光器６とで、広告表示に連動する発光をさせてもよい。例えば、広告表示として新商品の表示を行う場合、第一ＬＥＤ発光器５を制御して、新商品のシルエットを表現したり、製造元の企業のロゴを表現したりすることが考えられる。また、第二ＬＥＤ発光器６を制御して、新商品やその製造元の企業の特徴的な色を発光させてもよい。このとき、第一ＬＥＤ発光器５と第二ＬＥＤ発光器６の両方を制御してもよいし、いずれか一方を制御してもよい。
【００９８】
（効果）
以上説明したように、本実施形態または変形例の観覧車は、以下の第１の態様を備える。第１の態様は、以下の構成を備える。観覧車は、複数の乗りかご２を支持する回転輪１が、軸部１８を介して支持体３に回転可能に支持される。観覧車は、複数の径方向フレーム１４と、複数の発光器（第一のＬＥＤ発光器５）と、ディスプレイ４と、制御装置８とを備える。複数の径方向フレーム１４は、回転輪１に設けられており、直径方向に延びている。複数の発光器は、外側方に向かって発光するように複数の径方向フレーム１４に取り付けられる。ディスプレイ４は、表示面が外側方に向くように支持体３に取り付けられる。制御装置８は、複数の発光器をディスプレイ４の表示と連動するように制御する。この構成によれば、ディスプレイ４に、画像や文字列を表示させながら、それに連動するように、径方向フレーム１４に取り付けられた複数の発光器を発光させることができる。この結果、ディスプレイ４に表示された画像などで詳細な情報を示しつつ、観覧車の回転輪１で目立たせたり、壮大な演出を行ったりすることができ、すなわち、観覧車の回転輪１を利用して壮大さを演出しながらも、同時に、細かな画像や文字列等を表現できる。
【００９９】
また、本実施形態および変形例の観覧車は、以下の第２の態様を備える。
【０１００】
第２の態様は、以下の構成を備える。観覧車は、複数の乗りかご２を支持する回転輪１が、軸部１８を介して支持体３に回転可能に支持される。回転輪１は、前後方向に離れた一対の本体フレーム１１と、一対の本体フレーム１１同士を外周部で連結する複数の連結フレーム１７とを有する。観覧車は、複数の発光器（第二ＬＥＤ発光器６）と、ディスプレイ４と、制御装置８とを備える。複数の発光器は、軸部１８に向かって発光するように、複数の連結フレーム１７に取り付けられる。ディスプレイ４は、表示面が前記外側方に向くように支持体３に取り付けられる。制御装置８は、複数の発光器をディスプレイ４の表示と連動するように制御する。この構成によれば、ディスプレイ４に、画像や文字列を表示させながら、それに連動するように、連結フレーム１７に取り付けられた複数の発光器を発光させることができる。この結果、ディスプレイ４に表示された画像などで詳細な情報を示しつつ、観覧車の回転輪１で目立たせたり、壮大な演出を行ったりすることができる。すなわち、この構成の観覧車によれば、回転輪１を利用して壮大さを演出しながらも、同時に、細かな画像や文字列等を表現できる。
【０１０１】
また、本実施形態および変形例の観覧車は、以下の第３の態様を備える。
【０１０２】
第３の態様は、以下の構成を備える。観覧車は、複数の乗りかご２を支持する回転輪１が、軸部１８を介して支持体３に回転可能に支持される。回転輪１は、前後方向に離れた一対の本体フレーム１１と、連結フレーム１７とを有する。本体フレーム１１は、直径方向に延びる複数の径方向フレーム１４を有する。複数の連結フレーム１７は、一対の本体フレーム１１同士を外周部で連結する。観覧車は、回転輪１に取り付けられた複数の発光器を備える。複数の発光器は、複数の第一発光器（第一ＬＥＤ発光器５）と、複数の第二発光器（第二ＬＥＤ発光器６）とを備える。複数の第一発光器は、外側方に発光するように複数の径方向フレーム１４に取り付けられる。複数の第二発光器は、軸部１８に向かって発光するように複数の連結フレーム１７に取り付けられる。観覧車は、ディスプレイ４と、制御装置８とをさらに備える。ディスプレイ４は、表示面が外側方に向くように支持体３に取り付けられる。制御装置８は、複数の第一発光器および複数の第二発光器をディスプレイ４の表示と連動するように制御する。この構成によれば、ディスプレイ４に、画像や文字列を表示させながら、それに連動するように、第一発光器と第二発光器とを発光させることができる。この結果、ディスプレイ４に表示された画像などで詳細な情報を示しつつ、観覧車の回転輪１で目立たせたり、壮大な演出を行ったりすることができ、すなわち、観覧車の回転輪１を利用して壮大さを演出しながらも、同時に、細かな画像や文字列等を表現できる。
【０１０３】
また、本実施形態および変形例の観覧車は、以下の付加的な第４〜第１１のいずれかの態様を備える。
【０１０４】
第４の態様では、制御装置８は、ディスプレイ４の表示を制御するディスプレイ制御部８３をさらに備える。この構成によれば、ディスプレイ４の表示を防災情報等に対応させることができる。
【０１０５】
第５の態様では、第４の態様において、以下の構成を備える。すなわち、制御装置８は、防災情報を受信する防災情報受信部８２と、発光器制御部８４とを有する。発光器制御部８４は、防災情報受信部８２に防災情報が入力されると、複数の発光器を防災情報表示用の発光パターンで発光させる。ディスプレイ制御部８３は、防災情報受信部８２に入力された防災情報をディスプレイ４に表示させるように構成されている。この構成によれば、火災・地震・津波等の防災情報を観覧車のディスプレイ４に表示させながら、回転輪１でその表示を目立たせる等することができ、周囲の住民や遊園地内の人々に、防災情報を効果的に報知することができる。
【０１０６】
第６の態様では、第４の態様において、以下の構成を備える。制御装置８は、携帯情報端末用受信部８１と、発光器制御部８４とを有する。携帯情報端末用受信部８１は、個人が所有する携帯情報端末から出力された情報を受信する。発光器制御部８４は、携帯情報端末用受信部８１に携帯情報端末からの情報が入力されると、複数の発光器を、携帯情報端末表示用の発光パターンで発光させる。ディスプレイ制御部８３は、携帯情報端末用受信部に入力された情報をディスプレイ４に表示させる。この構成によれば、個人が所有する携帯情報端末を操作することで、画像やテキストをディスプレイ４に表示させることができるため、例えば、遊園地やテーマパークに来場する客に対し、新たな遊戯性や面白みを与えることができる。また、携帯情報端末で実行されるプログラムからなるゲームの画像等の情報を、制御装置８に出力し、これにより、観覧車のディスプレイ４に表示させることで、携帯情報端末と観覧車のディスプレイ４と複数の発光器とを連動させたゲームを行うこともできる。
【０１０７】
第７の態様では、第１〜第６のいずれかの態様において、以下の構成を備える。乗りかご２は、乗りかご２の内部と外部との間で光を透過可能な透光部を有する。複数の発光器は、第三発光器（第三ＬＥＤ発光器７）を有する。第三発光器は、制御装置８によりディスプレイ４の表示に連動するように制御され、透光部に設けられる。第三発光器は、透光部の全面にわたって配置された複数の発光素子（ＬＥＤ素子７１）を具備する。この構成によれば、観覧車の乗りかご２についても、ディスプレイ４の表示に連動して発光させることができ、より一層の多様性を持たせた演出を行うことができる。
【０１０８】
第８の態様では、第７の態様において、複数の発光素子（ＬＥＤ素子７１）は、透光部を覆うように設けられた導電性の透明フィルム７５の表面に電気的に接続されている。この構成によれば、乗りかご２の搭乗者が透光部を介して内部から外側の景色を見ることができる構造を保ちながら、透光部の全面にわたって発光素子を配置することができる。
【０１０９】
第９の態様では、第１〜８のいずれかの態様において、観覧車は、ディスプレイ４の表示に連動するように制御装置８に制御されるスピーカーをさらに備えている。この構成によれば、光での演出に加えて、より多彩な演出を行うことができる。
【０１１０】
第１０の態様では、第１〜９のいずれかの態様において、制御装置８は、個人が所有する携帯情報端末に対し、ディスプレイ４に表示された映像に関連した映像を表示させるための情報を出力可能に構成されている。この構成によれば、個人が所有する携帯情報端末のディスプレイに、観覧車のディスプレイ４の表示と同じ表示を行うことができる。これにより、例えば、観覧車のディスプレイ４に表示された防災情報を、同じように、携帯情報端末に表示させることができ、各個人に対して、防災情報などの緊急な情報を効果的に報知することができる。
【０１１１】
第１１の態様では、第１〜４のいずれかの態様において、制御装置８は、ディスプレイ４に広告表示を行わせると共に、複数の発光器を広告表示と連動するよう発光させる。この構成によれば、単にディスプレイ４に広告表示を行うだけでなく、回転輪１に取り付けられた発光器によっても、広告表示に連動して発光させることができ、効果的に、宣伝広告を行うことができる。
【０１１２】
以上、本発明を幾つかの好ましい実施形態によって記述したが、この発明の本来の精神および範囲、即ち請求の範囲を逸脱することなく、当業者によって様々な修正および変形が可能である。
【図１】
2017094044.tif 000003
【図２】
2017094044.tif 000004
【図３】
2017094044.tif 000005
【図４】
2017094044.tif 000006
【図５】
2017094044.tif 000007
【図６】
2017094044.tif 000008
【図７】
2017094044.tif 000009
【図８】
2017094044.tif 000010
【図９】
2017094044.tif 000011
【図１０】
2017094044.tif 000012
【図１１】
2017094044.tif 000013
【国際調査報告】
2017094044.tif 000014
2017094044.tif 000015
2017094044.tif 000016
2017094044.tif 000017